(57)【要約】【課題】スピンドルモーターと対物レンズとの相対位置の切り換えを、簡単な構造で行うことのできる光ピックアップ装置を実現する。【解決手段】光ピックアップ装置１は、ハウジング５がメインガイド軸１１とサブガイド軸１５とによって光ディスク１３の半径方向に移動可能に支持され、メインガイド軸１１はスライドベース９に固定されている。切換機構１４によって、スライドベース９は光ディスク１３の半径方向と垂直な方向に移動する。メインガイド軸１１が円形孔のメインガイド軸受け３に挿通されていることで、ハウジング５および対物レンズ２ａ・２ｂもスライドベース９とともに光ディスク１３の半径方向と垂直な方向に移動する。スライドベース９には、送りモーター１０およびメインガイド軸１１が設けられているだけであるので、簡単な構造で対物レンズ２ａ・２ｂとスピンドルモーター７との相対位置を切り換えることができる。【選択図】図１
2007328860.tif 000002
【特許請求の範囲】
【請求項１】
互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、
メインベース上で光ディスクの半径方向および上記対物レンズの光軸方向の両方と垂直な方向に移動自在に設けられ、上記第１ガイド軸を支持するスライドベースと、
該スライドベースを移動方向に往復駆動する駆動手段とを備え、
上記第２ガイド軸は上記メインベース上に支持され、
上記ハウジングは、上記ハウジングを移動自在に上記第１ガイド軸に支持し、上記ハウジングの移動を上記第１ガイド軸の長手方向に規制する第１軸受部と、上記ハウジングを移動自在に上記第２ガイド軸に支持し、上記ハウジングの移動を上記第２ガイド軸の長手方向および上記スライドベースの移動方向に規制する第２軸受部とを有していることを特徴とする光ピックアップ装置。
【請求項２】
上記第２軸受部の上記第２ガイド軸が当接する部分は、平面であることを特徴とする請求項１に記載の光ピックアップ装置。
【請求項３】
互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、
上記第１ガイド軸および第２ガイド軸はともにベース上に支持され、
上記ハウジングは、上記ハウジングを上記第１ガイド軸に移動自在に支持し、上記ハウジングの移動を上記第１ガイド軸の長手方向と光ディスクの半径方向および上記対物レンズの光軸方向の両方に垂直な方向とに規制する第１軸受部と、上記ハウジングを上記第２ガイド軸に移動自在に支持し、上記ハウジングの移動を上記第２ガイド軸の長手方向と光ディスクの半径方向および上記対物レンズの光軸方向の両方に垂直な方向とに規制する第２軸受部と、上記第１ガイド軸または第２ガイド軸を保持する保持部材と、該保持部材を光ディスクの半径方向および上記対物レンズの光軸方向の両方と垂直な方向に往復駆動する駆動手段とを有していることを特徴とする光ピックアップ装置。
【請求項４】
上記第１軸受部および第２軸受部の少なくとも一方は上記両ガイド軸の少なくとも一方を挿通する長円形状の孔を有することを特徴とする請求項３に記載の光ピックアップ装置。
【請求項５】
上記第１軸受部の上記第１ガイド軸が当接する部分および上記第２軸受部の上記第２ガイド軸が当接する部分は、平面であることを特徴とする請求項３または４に記載の光ピックアップ装置。
【請求項６】
上記ハウジングは、上記対物レンズの光軸が上記光ディスクの情報記録面の最内周に位置する状態で、上記光ディスクを載置するスピンドルモーターと上記ハウジングとの接触を回避するための切り欠き部を有し、該切り欠き部は上記光ディスクの半径方向および上記対物レンズの光軸方向の両方に垂直な方向における上記ハウジングの移動距離より長い直線部を有することを特徴とする請求項１〜５のいずれか１項に記載の光ピックアップ装置。
【発明の詳細な説明】
【技術分野】
【０００１】
本発明は、複数種類の規格の光ディスクの中で、所定の光ディスクに対応したレーザ光源から放出されるレーザビームを、それに対応する対物レンズによって集光し、情報を記録または再生するようにしたコンパチブルな光ピックアップ装置に関するものである。
【背景技術】
【０００２】
光ディスクに記録される情報は、ピットと呼ばれる窪みとして記録されており、ピットはディスク上に同心円状に内側から外側に向かって記録されている。情報の記録／再生は、光ディスクを回転させて、対物レンズからのレーザ光をピットが並んでいるトラックに沿って入反射させることにより行われる。したがって、光ピックアップ装置は、光ピックアップ送り機構による光学ピックアップの移動により対物レンズの光軸が移動する方向と、スピンドルモーターの支持面に支持された光ディスクの半径方向とが一致するように構成されていることが好ましい。
【０００３】
また、光ディスク面の記録密度の向上により、ＣＤよりもトラックピッチの細かいＤＶＤや次世代ＤＶＤであるＢｌｕ−ｒａｙ  ｄｉｓｋなどが開発され実用化されている。それらの光ディスクに対しては、それぞれ異なる対物レンズを用いる必要がある。そこで、１台の機器で複数種類の光ディスクに対応するため、複数の対物レンズを有する光ピックアップ装置が提案されている（例えば、特許文献１参照）。
【０００４】
特許文献１の構成では、スピンドルモーターに支持された光ディスクと光ピックアップとの相対位置を切り換えるために、スピンドルモーターの位置を変更させる方法と、光ピックアップの位置を変更する方法とが用いられている。以下、図２１ないし図２３を用いて説明する。
【０００５】
図２１（ａ）および図２１（ｂ）は、特許文献１記載の光ピックアップ装置７０を示している。光ピックアップ装置７０には、ハウジング７１、２つの対物レンズ７２ａ・７２ｂ、ガイド軸７３・７３、ガイドバー７４、切換モーター７５、スライド部材７６、ラック７６ａ、ピニオン７７、スピンドルモーター７８が設けられており、光ディスク７９がスピンドルモーター７８に搭載されている。
【０００６】
対物レンズ７２ａ・７２ｂはハウジング７１に備えられ、記録／再生時にハウジング７１がガイド軸７３・７３に沿って矢印方向に移動することにより、対物レンズからの出射光が光ディスク７９の内周から外周に向かって移動する。ガイド軸７３・７３、ガイドバー７４、切換モーター７５、ピニオン７７およびスライド部材７６は図示しないベースに固定されている。スライド部材７６は、ガイドバー７４に沿って移動可能となっており、スピンドルモーター７８がスライド部材７６に保持されている。また、スライド部材７６側部に設けられたラック７６ａとピニオン７７とが噛合し、ピニオン７７と切換モーター７５とが噛合している。
【０００７】
図２１（ａ）は、対物レンズ７２ａの光軸が光ディスク７９の半径方向に移動するように調整された状態を示しており、図２１（ｂ）は対物レンズ７２ｂの光軸が光ディスク７９の半径方向に移動するように調整された状態を示している。図２１（ａ）の状態から図２１（ｂ）の状態への切り換えは、切換モーター７５ｂを駆動し、スライド部材７６をガイドバー７４に沿って移動させ、それに伴いスピンドルモーター７８をスライド部材７６とともに移動させることにより行われる。
【０００８】
図２２（ａ）および図２２（ｂ）は、特許文献１記載の光ピックアップ装置８０を示している。光ピックアップ装置８０には、ハウジング８１、２つの対物レンズ８２ａ・８２ｂ、ガイド軸８３・８３、支点８４、ソレノイド８５、回転部材８６、スピンドルモーター８８が設けられており、光ディスク８９がスピンドルモーター８８に搭載されている。
【０００９】
対物レンズ８２ａ・８２ｂはハウジング８１に備えられ、記録／再生時にハウジング８１がガイド軸８３・８３に沿って矢印方向に移動することにより、対物レンズからの出射光が光ディスク８９の内周から外周に向かって移動する。ガイド軸８３・８３、支点８４およびソレノイド８５は、図示しないベース上に固定されている。回転部材８６は、支点８４を中心に回転可能になっており、スピンドルモーター８８が回転部材８６に保持されている。回転部材８６には長孔８６ａが設けられており、ソレノイド８５の伸縮ロッド８５ａに設けられたピン８５ｂが長孔８６ａに嵌められている。
【００１０】
図２２（ａ）は、対物レンズ８２ａの光軸が光ディスク８９の半径方向に移動するように調整された状態を示しており、図２２（ｂ）は対物レンズ８２ｂの光軸が光ディスク８９の半径方向に移動するように調整された状態を示している。図２２（ａ）の状態から図２２（ｂ）の状態への切り換えは、伸縮ロッド８５ａを伸ばし、回転部材８６を支点８４を中心に回転させ、それに伴いスピンドルモーター８８を移動させることにより行われる。
【００１１】
図２３（ａ）および図２３（ｂ）は、特許文献１記載の光ピックアップ装置９０を示している。光ピックアップ装置９０には、ハウジング９１、２つの対物レンズ９２ａ・９２ｂ、メインガイド軸９３ａ、サブガイド軸９３ｂ、スライドベース９４、ピン９４ａ、ソレノイド９５、ベース９６、送りモーター９７、スピンドルモーター９８が設けられており、光ディスク９９がスピンドルモーター９８に搭載されている。
【００１２】
対物レンズ９２ａ・９２ｂはハウジング９１に備えられ、記録／再生時にハウジング９１がメインガイド軸９３ａおよびサブガイド軸９３ｂに沿って矢印方向に移動することにより、対物レンズからの出射光が光ディスク９９の内周から外周に向かって移動する。ソレノイド９５およびスピンドルモーター９８は、ベース９６に固定されている。スライドベース９４には、ハウジング９１に挿通されているメインガイド軸９３ａ、サブガイド軸９３ｂおよび送りモーター９７が固定されており、ソレノイド９５の伸縮ロッド９５ａが連結されている。これによりスライドベース９４は、伸縮ロッド９５ａの伸縮に伴いピン９４ａにガイドされて、ガイド軸９３ａ・９３ｂの軸線に直交する方向に移動可能となっている。
【００１３】
図２３（ａ）は、対物レンズ９２ａの光軸が光ディスク９９の半径方向に移動するように調整された状態を示しており、図２３（ｂ）は対物レンズ９２ｂの光軸が光ディスク９９の半径方向に移動するように調整された状態を示している。図２３（ａ）の状態から図２３（ｂ）の状態への切り換えは、伸縮ロッド９５ａを伸ばして、スライドベース９４を移動させることにより行われる。
【特許文献１】特許第２８３５０１５号公報（平成８年１１月２９日公開）
【発明の開示】
【発明が解決しようとする課題】
【００１４】
しかしながら、上記従来の構成では、構造が複雑化し、装置が大型化してしまうという問題を生じる。
【００１５】
具体的には、スピンドルモーターの位置を変更させる方法である光ピックアップ装置７０および光ピックアップ装置８０の構成においては、搭載されているディスクも同時に移動する必要がある。また、カートリッジに収納されたディスクの場合、カートリッジも同時に移動させる必要があり、構造が複雑化し、装置が大型化してしまう。
【００１６】
また、光ピックアップの位置を変更する方法である光ピックアップ装置９０の構成においては、光ピックアップ及び２本のガイド軸を固定したスライドベース９４を設け、その下部にスライドベース９４をガイドするためのピン９４ａを固定するためのベースをさらに設ける必要がある。さらに、スライドベース９４には光ピックアップ装置や送りモーター、ガイド軸などが設けられているため、スライドベース９４を厚く、大きい部材とする必要がある。したがって、スライドベース９４を移動させるための機構も大きいものが必要となり、装置が大型化してしまうという課題があった。
【００１７】
本発明は、上記の問題点に鑑みてなされたものであり、その目的は、スピンドルモーターと対物レンズとの相対位置の切り換えを、簡単な構造で行うことのできる光ピックアップ装置を実現することにある。
【課題を解決するための手段】
【００１８】
本発明に係る光ピックアップ装置は、上記課題を解決するために、互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、メインベース上で光ディスクの半径方向および上記対物レンズの光軸方向の両方と垂直な方向に移動自在に設けられ、上記第１ガイド軸を支持するスライドベースと、該スライドベースを移動方向に往復駆動する駆動手段とを備え、上記第２ガイド軸は上記メインベース上に支持され、上記ハウジングは、上記ハウジングを移動自在に上記第１ガイド軸に支持し、上記ハウジングの移動を上記第１ガイド軸の長手方向に規制する第１軸受部と、上記ハウジングを移動自在に上記第２ガイド軸に支持し、上記ハウジングの移動を上記第２ガイド軸の長手方向および上記スライドベースの移動方向に規制する第２軸受部とを有していることを特徴としている。
【００１９】
上記の構成によれば、駆動手段はスライドベースを光ディスクの半径方向および対物レンズの光軸方向の両方と垂直な方向に往復移動させる。第１ガイド軸はスライドベース上に支持されており、第２ガイド軸はメインベース上に支持されている。ここで、ハウジングの第１軸受部は、ハウジングを第１ガイド軸の長手方向のみに移動できるように第１ガイド軸に支持する一方、ハウジングの第２軸受部は、ハウジングを第２ガイド軸の長手方向だけでなくスライドベースの移動方向にも移動できるように第２ガイド軸に支持している。したがって、スライドベースの移動に連動してハウジングもスライドベースの移動方向すなわち光ディスクの半径方向および対物レンズの光軸方向の両方と垂直な方向に移動することができる。ハウジングは互いに開口数の異なる複数の対物レンズを有しているので、ハウジングを光ディスクの半径方向および対物レンズの光軸方向の両方と垂直な方向に移動させることにより、光ディスクと対物レンズとの相対位置が切り換わる。このとき、駆動手段は第１ガイド軸を支持するスライドベースを移動させるだけであるので、光ディスクと対物レンズとの相対位置の切り換えを、簡単な構造で行うことができるという効果を奏する。
【００２０】
本発明に係る光ピックアップ装置では、上記第２軸受部の上記第２ガイド軸が当接する部分は、平面であることが好ましい。
【００２１】
上記の構成によれば、第２軸受部の第２ガイド軸が当接する部分が、平面であることにより、位置合わせが容易になり、対物レンズの切り換えの精度を上げることができる。
【００２２】
本発明に係る他の光ピックアップ装置は、互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、上記第１ガイド軸および第２ガイド軸はともにベース上に支持され、上記ハウジングは、上記ハウジングを上記第１ガイド軸に移動自在に支持し、上記ハウジングの移動を上記第１ガイド軸の長手方向と光ディスクの半径方向および上記対物レンズの光軸方向の両方に垂直な方向とに規制する第１軸受部と、上記ハウジングを上記第２ガイド軸に移動自在に支持し、上記ハウジングの移動を上記第２ガイド軸の長手方向と光ディスクの半径方向および上記対物レンズの光軸方向の両方に垂直な方向とに規制する第２軸受部と、上記第１ガイド軸または第２ガイド軸を保持する保持部材と、該保持部材を光ディスクの半径方向および上記対物レンズの光軸方向の両方と垂直な方向に往復駆動する駆動手段とを有していることを特徴としている。
【００２３】
上記の構成によれば、ハウジングに設けられた第１軸受部および第２軸受部はともに、ハウジングを第１ガイド軸および第２ガイド軸の長手方向だけでなく、光ディスクの半径方向および上記対物レンズの光軸方向の両方と垂直な方向に移動可能であるように、それぞれ第１ガイド軸および第２ガイド軸に支持している。これにより、第１ガイド軸および第２ガイド軸がともにベース上に支持されていても、駆動手段によって保持部材を駆動することでハウジングだけを光ディスクの半径方向および上記対物レンズの光軸方向の両方と垂直な方向に移動させることができる。ハウジングには互いに開口数の異なる複数の対物レンズが備えられているので、駆動手段によるハウジングの移動によって、対物レンズの光ディスクに対する相対位置の切り換えが行われる。対物レンズの切り換えは、ハウジングのみの移動により行われるので、より簡単な構成で光ディスクと対物レンズとの相対位置の切り換えができるという効果を奏する。
【００２４】
本発明に係る光ピックアップ装置では、上記第１軸受部および第２軸受部の少なくとも一方は上記両ガイド軸の少なくとも一方を挿通する長円形状の孔を有することがさらに好ましい。
【００２５】
上記の構成によれば、第１ガイド軸受部および第２ガイド軸受部の少なくとも一方は、両ガイド軸の少なくとも一方を挿通する長円形状の孔を有することにより、光ディスクの半径方向および上記対物レンズの光軸方向の両方と垂直な方向におけるハウジングの移動距離の規制が可能であるため、対物レンズの光ディスクに対する位置合わせがさらに容易になる。
【００２６】
本発明に係る光ピックアップ装置では、上記第１軸受部の上記第１ガイド軸が当接する部分および上記第２軸受部の上記第２ガイド軸が当接する部分は、平面であることがさらに好ましい。
【００２７】
上記の構成によれば、上記第１ガイド軸受部の上記第１ガイド軸が当接する部分および上記第２ガイド軸受部の上記第２ガイド軸が当接する部分が平面であることにより、位置合わせが容易になり、対物レンズの切り換えの精度をさらに上げることができる。
【００２８】
本発明に係る光ピックアップ装置では、上記ハウジングは、上記対物レンズの光軸が上記光ディスクの情報記録面の最内周に位置する状態で、上記光ディスクを載置するスピンドルモーターと上記ハウジングとの接触を回避するための切り欠き部を有し、該切り欠き部は上記光ディスクの半径方向および上記対物レンズの光軸方向の両方に垂直な方向における上記ハウジングの移動距離より長い直線部を有することがさらに好ましい。
【００２９】
上記の構成によれば、ハウジングに切り欠き部が設けられていることにより、対物レンズからの光軸が光ディスクの情報記録面の最内周に位置する状態であっても、光ディスクを載置するスピンドルモーターと上記ハウジングとは接触しない。したがって、光ディスクの全ての情報記録面に対する記録／再生が可能となる。さらに切り欠き部は光ディスクの半径方向および対物レンズの光軸方向の両方に垂直な方向におけるハウジングの移動距離より長い直線部を有するので、切り欠かれた部分の面積を最小限に抑えることができ、光ピックアップ装置の設計が容易になる。
【発明の効果】
【００３０】
本発明に係る光ピックアップ装置は、以上のように、互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、メインベース上で光ディスクの半径方向および上記対物レンズの光軸方向の両方と垂直な方向に移動自在に設けられ、上記第１ガイド軸を支持するスライドベースと、該スライドベースを移動方向に往復駆動する駆動手段とを備え、上記第２ガイド軸は上記メインベース上に支持され、上記ハウジングは、上記ハウジングを移動自在に上記第１ガイド軸に支持し、上記ハウジングの移動を上記第１ガイド軸の長手方向に規制する第１軸受部と、上記ハウジングを移動自在に上記第２ガイド軸に支持し、上記ハウジングの移動を上記第２ガイド軸の長手方向および上記スライドベースの移動方向に規制する第２軸受部とを有しているので、スピンドルモーターと対物レンズとの相対位置の切り換えを、簡単な構造で行うことができるという効果を奏する。
【００３１】
また、本発明に係る光ピックアップ装置は、以上のように、互いに開口数の異なる複数の対物レンズおよび該対物レンズを保持するハウジングを有する光ピックアップと、該ハウジングの光ディスクの半径方向への移動を該ハウジングの両側でそれぞれ案内する第１ガイド軸および第２ガイド軸とを備えた光ピックアップ装置であって、上記第１ガイド軸および第２ガイド軸はともにベース上に支持され、上記ハウジングは、上記ハウジングを上記第１ガイド軸に移動自在に支持し、上記ハウジングの移動を上記第１ガイド軸の長手方向と光ディスクの半径方向および上記対物レンズの光軸方向の両方に垂直な方向とに規制する第１軸受部と、上記ハウジングを上記第２ガイド軸に移動自在に支持し、上記ハウジングの移動を上記第２ガイド軸の長手方向と光ディスクの半径方向および上記対物レンズの光軸方向の両方に垂直な方向とに規制する第２軸受部と、上記第１ガイド軸または第２ガイド軸を保持する保持部材と、該保持部材を光ディスクの半径方向および上記対物レンズの光軸方向の両方と垂直な方向に往復駆動する駆動手段とを有しているので、より簡単な構成でスピンドルモーターと対物レンズとの相対位置の切り換えができるという効果を奏する。
【発明を実施するための最良の形態】
【００３２】
〔実施の形態１〕
本発明の一実施形態について図１ないし図１０に基づいて説明すると以下の通りである。
【００３３】
図１は本実施の形態に係る光ピックアップ装置１の構成を示している。光ピックアップ装置１は、２つの対物レンズ２ａ・２ｂ、メインガイド軸受け３（第１軸受部）、サブガイド軸受け４（第２軸受部）およびグリップラック１２を有したハウジング５から構成される光ピックアップ部６を備えている。対物レンズ２ａはＣＤ用の対物レンズであり、レンズの開口数（ＮＡ）は０．４５であり、用いられるレーザ光の波長は７８０ｎｍである。一方、対物レンズ２ｂはＤＶＤ用の対物レンズであり、ＮＡは０．６であり、用いられるレーザ光の波長は６３５ｎｍ〜６５０ｎｍである。
【００３４】
光ピックアップ装置１はさらに、スピンドルモーター７を固定したメインベース８およびスライドベース９を備えている。メインベース８は、長方形を成しており、ピックアップ装置１の支持基台となる。スライドベース９は、長方形を成しており、メインベース８の一方の長辺側付近に配置されている。このスライドベース９は、３つの角部のそれぞれにガイド孔９ａを有している。ガイド孔９ａは、光ディスク１３の半径方向および対物レンズ２ａ・２ｂのそれぞれの光軸方向の両方と垂直な方向に長く形成されており、長さＬの直線部を有する長円形状である。スライドベース９は、３つのスライドガイド孔９ａに対して、メインベース８に固定した３つのスライドガイドピン８ａをそれぞれ挿通した状態で、メインベース８から一定間隔を置いてスライド可能に保持されている。
【００３５】
スライドベース９には、送りネジ１０ａを回転させる送りモーター１０およびメインガイド軸１１（第１ガイド軸）が設けられ、送りネジ１０ａとメインガイド軸１１とは平行である。また、サブガイド軸１５（第２ガイド軸）が、送りネジ１０ａおよびメインガイド軸１１と平行になるように、メインベース８上に固定されている。
【００３６】
メインガイド軸１１とサブガイド軸１５との間には、ハウジング５が設けられており、ハウジング５は、メインガイド軸１１およびサブガイド軸１５に案内されて、スピンドルモーター７に載置された光ディスク１３の半径方向へ移動する。また、ハウジング５は、対物レンズ２ａ・２ｂの駆動系および光源から対物レンズ２ａ・２ｂへ光を導くとともに対物レンズ２ａ・２ｂへ入射する光を受光素子（図示せず）に導く光学系を収容する。対物レンズ２ａ・２ｂによって光ディスク１３の情報記録面に集束された光は、その情報記録面から反射されて対物レンズ２ａ・２ｂに取り込まれる。これにより、光ディスク１３に情報が記録されたり、光ディスク１３から情報が再生されたりする。
【００３７】
さらに、２つのメインガイド軸受け３がハウジング５のメインガイド軸１１側に設けられ、サブガイド軸受け４がハウジング５のサブガイド軸１５側に設けられている。また、グリップラック１２が、２つのメインガイド軸受け３の間に設けられている。
【００３８】
図２に示すようにメインガイド軸受け３は、円形孔３ａを有しており、メインガイド軸１１が円形孔３ａに挿通されている。また、サブガイド軸１５が、ハウジング５に設けられたサブガイド軸受け４に摺動自在となるように挿通されている。これにより、スライドベース９に対し、ハウジング５の移動がメインガイド軸１１の長手方向のみに移動可能となる。グリップラック１２は、ガイド孔９ａの長手方向に延びており、その先端に送りネジ１０ａと噛み合う歯部１２ａを有している。これにより、送りモーター１０によって送りネジ１０ａを回転させることで、ハウジング５を、スピンドルモーター７に載置した光ディスク１３の内周から外周に移動させている。
【００３９】
図１に示すように、スライドベース９のスピンドルモーター７に最も近い隅付近にラック部９ｂが設けられている。メインベース８には、切換モーター１４ａ、ネジ部１４ｂおよび２つのピニオン１４ｃ・１４ｄからなる切換機構１４（切換手段）が固定されている。切換モーター１４ａはネジ部１４ｂを回転駆動させ、ネジ部１４ｂとピニオン１４ｃとが噛み合っている。ピニオン１４ｄは大径部および大径部と同軸に設けられる小径部から構成され、ピニオン１４ｃとピニオン１４ｄの大径部とが噛み合い、ピニオン１４ｄの小径部とラック部９ｂとが噛み合っている。切換モーター１４ａを駆動させ、ネジ部１４ｂ、ピニオン１４ｃおよびピニオン１４ｄを回転させることで、メインベース８上をスライドベース９がメインガイド軸１１およびサブガイド軸１５の長手方向、すなわち、光ディスク１３の半径方向および対物レンズ２ａ・２ｂの光軸方向の両方に垂直な方向に移動させる。メインガイド軸１１が円形孔３ａに挿通されているため、スライドベース９の移動に連動して、ハウジング５もスライドベース９と同じ方向に移動する。対物レンズ２ａ・２ｂは、スライドベース９の移動方向にＬの間隔を置いて並んでおり、これにより、対物レンズ２ａ・２ｂとスピンドルモーター７との相対位置の切り換えが行われる。
【００４０】
スライドベース９は、スピンドルモーター７に載置した光ディスク１３の半径方向と、メインガイド軸１１に沿って対物レンズ２ａまたは対物レンズ２ｂから出射される光軸の軌跡とを一致させるように、対物レンズ２ａと対物レンズ２ｂとの距離Ｌだけ、切換機構１４によってその位置を切り換えられる。図１では、ハウジング５の移動に伴って、対物レンズ２ａから出射される光軸が光ディスク１３の半径方向に移動するように調整されている。
【００４１】
なおハウジング５には逃げ部５ａ（切り欠き部）が設けられ、対物レンズ２ａまたは２ｂから出射される光軸が、光ディスク１３の最内周に位置する場合でも、ハウジング５がスピンドルモーター７と干渉しないように湾曲形状に切り欠かれている。またハウジング５の逃げ部５ａは、切換機構１４によりスライドベース９が移動する距離Ｌより長い直線部５ｂを有している。また、３つのスライドガイド孔９ａは、長さＬの直線部を有する長円形状となっている。
【００４２】
図２は、図１の状態において、ハウジング５が送りモーター１０によってスライドする方向から見た場合のハウジング５の側面図である。なお、ハウジング５の２つのメインガイド軸受け３は互いに同一であるので、メインガイド軸受け３の一方は省略している。メインガイド軸受け３は円形孔３ａを有し、円形孔３ａにメインガイド軸１１が挿通されている。ハウジング５のサブガイド軸受け４は、サブガイド軸１５の長手方向に垂直な断面形状がＵ字を成すＵ字状部４ａを有し、Ｕ字状部４ａにサブガイド軸１５が挿入されている。また、グリップラック１２の歯部１２ａと送りモーター１０の送りネジ１０ａとが噛み合っている。
【００４３】
これにより、ハウジング５は、メインガイド軸１１およびサブガイド軸１５の長手方向に、送りモーター１０により移動可能であり、メインガイド軸１１およびサブガイド軸１５の長手方向並びに対物レンズ２ａ・２ｂの光軸方向の両方に垂直な方向には、切換機構１４によりメインガイド軸１１と連動して移動可能である。
【００４４】
なお、ハウジング５がメインガイド軸１１およびサブガイド軸１５の長手方向並びに対物レンズ２ａ・２ｂの光軸方向の両方に垂直な方向に移動可能であれば、サブガイド軸受け４のサブガイド軸１５の長手方向に垂直な断面形状はＵ字形状に限らず、略コ字状、長円形状、長方形状であってもよい。
【００４５】
図３は、光ピックアップ装置１の構成を示しており、図１の状態からスライドベース９を矢印方向に距離Ｌだけ移動させた状態である。これにより、光ディスク１３の半径方向と対物レンズ２ｂから出射される光軸の軌跡とが一致している。
【００４６】
また図４は、図３の状態において、ハウジング５が送りモーター１０によってスライドする方向から見た場合のハウジング５の側面図である。図２と図４とを比較すると、ハウジング５とサブガイド軸１５との相対位置が図２と図４とで異なっている。すなわち、切り換えにより、固定されているサブガイド軸１５以外の部分が図２の状態から矢印方向へ移動している。
【００４７】
なお、サブガイド軸受け４のサブガイド軸１５と接する部分は、少なくともスライドベース９が移動する距離Ｌの直線部を有しているので、切換機構１４による切り換えによりハウジング５が移動しても、サブガイド軸１５がサブガイド軸受け４から外れることはない。
【００４８】
ここで、光ピックアップ装置１と特許文献１に記載されている光ピックアップ装置７０・８０・９０とを比較する。図２１に示す光ピックアップ装置７０および図２２に示す光ピックアップ装置８０では、対物レンズ切換え時に移動するスライド部材７６および回転部材８６は、いずれもスピンドルモーターを含むため、スピンドルモーターを移動可能とするための構造が必要となる。さらにスピンドルモーターに搭載されている光ディスクも同時に移動する必要がある。したがって、対物レンズ切り換えのための構成が大規模かつ複雑化する。
【００４９】
また図２３に示す光ピックアップ装置９０では、対物レンズ切換え時に移動するスライドベース９４には、送りモーター９７、メインガイド軸９３ａだけでなく、サブガイド軸９３ｂも固定されており、光ピックアップ部全体がスライドベース９４上に設けられている構成である。したがって、スライドベース９４は、本発明に係る光ピックアップ装置１のスライドベース９に比べて大きく厚い構造とする必要がある。
【００５０】
一方、光ピックアップ装置１は、切換機構１４によってスライドベース９を移動させることにより、スピンドルモーターと対物レンズとの相対位置の切り換えが行われる構成である。切換機構１４によって移動するスライドベース９には、送りモーター１０とメインガイド軸１１とが固定されているのみである。したがって、本発明に係る光ピックアップ装置１では、特許文献１に記載されている構成に比べ、簡単な構造で対物レンズの切り換えが可能となっている。
【００５１】
図５は、本実施の形態に係る光ピックアップ装置１’の構成を示している。光ピックアップ装置１’の構成は、図１に示す光ピックアップ装置１と比較して、スライドベース９’の形状がスライドベース９の形状と異なること、送りモーター１０がメインベース８上に固定されていること、スライドベース９’上にはメインガイド軸３のみが固定されていること、グリップラック１２’に歯部１２ｂがさらに設けられていること以外は、光ピックアップ装置１と同一であるので、その他の部材は光ピックアップ装置１と同一の符号を用いて説明を省略する。
【００５２】
スライドベース９’は、メインベース８上に固定された送りモーター１０との接触を避けるために一方の長辺が長方形状に切り欠かれており、ラック部９ｂを除いた部分は横方向に細長い凹形状となっている。グリップラック１２’には、２つの歯部１２ａ・１２ｂが設けられており、送りネジ１０ａと歯部１２ａまたは歯部１２ｂとが噛み合うようになっている。歯部１２ａと歯部１２ｂとの間隔はＬである。
【００５３】
図５は、光ディスク１３の半径方向と対物レンズ２ａから出射される光軸の軌跡とが一致している状態であり、送りモーター１０の送りネジ１０ａとグリップラック１２’の歯部１２ａとが噛み合っている。これにより、送りモーター１０の駆動によるハウジング５のスライドに伴い、対物レンズ２ａの光軸は、光ディスク１３の半径方向に移動する。
【００５４】
対物レンズの切り換えは、図１の場合と同様に切換機構１４を駆動してスライドベース９’を移動させ、ハウジング５をサブガイド軸１５の長手方向と垂直な方向に距離Ｌだけ移動させることにより行われる。この切り換えにより、送りネジ１０ａとの噛み合いも歯部１２ａから歯部１２ｂへ切り換わる。光ピックアップ装置１’では、図１に示す光ピックアップ装置１と比べると、スライドベース上にはメインガイド軸１１のみが固定されているだけであるので、スライドベース９を移動させるための駆動力が少なくて済み、より簡単な構造で対物レンズの切り換えが可能となる。
【００５５】
図６（ａ）および図６（ｂ）は、光ピックアップ装置１’において、ハウジング５が送りモーター１０によってスライドする方向から見た場合のハウジング５の側面図である。図６（ａ）は、図２においてグリップラック１２がグリップラック１２’に置き換わった構成であり、光ディスク１３の半径方向と対物レンズ２ａから出射される光軸の軌跡とが一致している状態である。図６（ｂ）は、図４においてグリップラック１２がグリップラック１２’に置き換わった構成であり、光ディスク１３の半径方向と対物レンズ２ｂから出射される光軸の軌跡とが一致している状態である。
【００５６】
また、図１において、サブガイド軸１５とメインベース８のサブガイド軸１５側の長辺との間に、サブガイド軸１５と送りネジ１０ａとが平行になるように送りモーター１０を設けてもよい。この場合、グリップラック１２をハウジング５のサブガイド軸１５側に設けて、グリップラック１２には、図５に示すグリップラック１２’のように２つの歯部１２ａ・１２ｂを設け、送りネジ１０ａと歯部１２ａまたは歯部１２ｂとを噛み合わせる。すなわち、送りモーター１０はメインベース８上に固定され、スライドベース９上にはメインガイド軸３のみが固定される。
【００５７】
対物レンズの切り換えは、図１の場合と同様に、切換機構１４を駆動してスライドベース９を移動させ、ハウジング５を移動させることにより行われる。この切り換えにより、送りネジ１０ａとの噛み合いも歯部１２ａと歯部１２ｂとの間で切り換わる。この場合も図５の場合と同様に、図１に示す光ピックアップ装置１の構成と比べて、スライドベース９を移動させるための駆動力が少なくて済むので、より簡単な構造で対物レンズの切り換えが可能となる。
【００５８】
図７（ａ）および図７（ｂ）は、ハウジング５が送りモーター１０によってスライドする方向から見た場合のハウジング５の側面図であり、光ピックアップ装置１におけるハウジング５のサブガイド軸受部分の変形例を示している。図７（ａ）および図７（ｂ）は、図２および図４と比較すると、サブガイド軸受け４の２つの直線部に凹形状の逃げ部４ｂが、それぞれ１箇所ずつ設けられていること以外は同一であるので、部材の説明は省略する。
【００５９】
図７（ａ）は、光ディスク１３の半径方向と対物レンズ２ａから出射される光軸の軌跡とが一致している状態であり、図７（ｂ）は、光ディスク１３の半径方向と対物レンズ２ｂから出射される光軸の軌跡とが一致している状態である。対物レンズとスピンドルモーターとの相対位置の調整は高い精度を要求されるため、図７（ａ）および図７（ｂ）において、サブガイド軸受け４とサブガイド軸１５とが接している部分は直線状となっている必要がある。一方、それ以外の部分は必ずしも直線状でなくてもよく、逃げ部４ｂを設けている部分では、Ｕ字状部４ａのサブガイド軸１５が挿通される部分の間隔が広いため、よりスムーズな切り換えが可能となる。
【００６０】
図８は、本実施の形態に係る光ピックアップ装置１”の構成を示している。光ピックアップ装置１”は、光ピックアップ装置１の構成にさらに対物レンズ２ｃを設けた構造である。対物レンズ２ｃはＢｌｕ−ｒａｙ  ｄｉｓｋ用の対物レンズであり、ＮＡは０．８５であり、用いられるレーザ光の波長は４００ｎｍ〜４３０ｎｍである。対物レンズ２ａと２ｂとの距離および対物レンズ２ｂと２ｃとの距離は、ともにＬである。
【００６１】
光ピックアップ装置１”の構成は、光ピックアップ装置１と比較して、さらに対物レンズ２ｃを備えていること、スライドガイド孔９ａ’の形状が光ピックアップ装置１のスライドガイド孔９ａと異なること、サブガイド軸受け４’の形状が光ピックアップ装置１のサブガイド軸受け４と異なること、逃げ部５ａ’の形状が光ピックアップ装置１の逃げ部５ａと異なること以外は、光ピックアップ装置１と同一であるので、その他の部材は光ピックアップ装置１と同一の符号を用いて説明を省略する。
【００６２】
光ピックアップ装置１”では、スライドベース９は切換機構１４によって、光ディスク１３の半径方向および対物レンズの光軸方向の両方と垂直な方向に、対物レンズ２ａと対物レンズ２ｃとの距離２Ｌだけその位置を切り換えることが可能である。そのため、スライドガイド孔９ａ’は、光ディスク１３の半径方向および対物レンズ２ａ・２ｂ・２ｃのそれぞれの光軸方向の両方と垂直な方向に長く形成されており、長さ２Ｌの直線部を有する長円形状となっている。なお図８は、光ディスク１３の半径方向と対物レンズ２ａから出射される光軸の軌跡とが一致している状態である。また、逃げ部５ａ’は、切換機構１４によりスライドベース９が移動する距離２Ｌより長い直線部５ｂ’を有している。なお、サブガイド軸受け４’の具体的な形状については図９において詳述する。
【００６３】
メインガイド軸受け３には、メインガイド軸１１が挿通されているので、スライドベース９の移動に伴って、ハウジング５も移動し、対物レンズ２ａ・２ｂ・２ｃとスピンドルモーター７との相対位置の切り換えが行われる。なお、図８は光ディスク１３の半径方向と対物レンズ２ａから出射される光軸の軌跡とが一致している状態を示している。
【００６４】
図９（ａ）〜図９（ｃ）はそれぞれ、ハウジング５が送りモーター１０によってスライドする方向から見た場合のハウジング５の側面図であり、サブガイド軸受け４’以外の構成は図２および図４の構成と同一である。図９（ａ）は、光ディスク１３の半径方向と対物レンズ２ａから出射される光軸の軌跡とが一致している状態、図９（ｂ）は、光ディスク１３の半径方向と対物レンズ２ｂから出射される光軸の軌跡とが一致している状態、図９（ｃ）は、光ディスク１３の半径方向と対物レンズ２ｃから出射される光軸の軌跡とが一致している状態を示している。サブガイド軸１５のみ固定されているため、サブガイド軸１５とその他の部分との相対位置が、それぞれの図で異なっている。
【００６５】
サブガイド軸受け４’はＵ字状部４ａ’を有し、Ｕ字状部４ａ’のサブガイド軸１５と接する部分は、少なくともスライドベース９が移動する距離２Ｌの直線部を有している。すなわちＵ字状部４ａ’の直線部はＵ字状部４ａの直線部よりも長い。したがって、切換機構１４による切り換えによりハウジング５が移動しても、サブガイド軸１５がサブガイド軸受け４’から外れることはない。
【００６６】
図１０は、ハウジング５が送りモーター１０によってスライドする方向から見た場合のハウジング５の側面図であり、光ピックアップ装置１”におけるハウジング５のサブガイド軸受部分の変形例を示している。図１０は、図９（ａ）〜図９（ｃ）と比較すると、Ｕ字状部４ａ’の２つの直線部に逃げ部４ｂ’が、それぞれ２箇所ずつ設けられていること以外は同一であるので、部材の説明は省略する。
【００６７】
逃げ部４ｂ’は、図７（ａ）および図７（ｂ）の逃げ部４ｂと同様の働きを持つ。すなわち、逃げ部４ｂ’を設けている部分では、Ｕ字状部４ａ’のサブガイド軸１５が挿通される部分の間隔が広いため、よりスムーズな切り換えが可能となる。
【００６８】
なお、スライドベース９を移動させる手段は、上記の方向へスライドベース９を往復駆動できればよく、切換機構１４に限定されない。例えば、その手段として、電磁力を利用したアクチュエータのような駆動発生装置を用いてもよく、また、ソレノイドにより伸縮可能なレバーをスライドベース９と連結させる構成であってもよい。
【００６９】
〔実施の形態２〕
本発明の他の実施形態について図１１ないし図２０に基づいて説明すると以下の通りである。
【００７０】
図１１は、本実施の形態に係る光ピックアップ装置２０の構成を示している。光ピックアップ装置２０は、２つの対物レンズ２ａ・２ｂ、メインガイド軸受け３’、サブガイド軸受け４およびグリップラック１２’を有したハウジング５から構成される光ピックアップ部６、送りネジ１０ａを有する送りモーター１０を備えており、スピンドルモーター７には、光ディスク１３が載置されている。また、メインガイド軸１１がメインガイド軸受け３’に、サブガイド軸１５がサブガイド軸受け４にそれぞれ挿通されており、対物レンズ２ａ・２ｂは、光ピックアップ装置１における対物レンズと同一である。なお各部材の機能は光ピックアップ装置１と略同様であるので、説明は省略する。
【００７１】
光ピックアップ装置２０において光ピックアップ装置１と異なる点は、スライドベース９や切換機構１４を設ける代わりに、ハウジング５に切換レバー１７ａを有する切換駆動機構１７（切換手段）を設けていること、グリップラック１２’に歯部１２ｂがさらに設けられていること、図１２、図１３および図１５に示すようにメインガイド軸受け３’の形状がメインガイド軸受け３と異なっていること、光ピックアップ部６以外の部材は、ベース１６に固定されていることである。
【００７２】
具体的には、光ピックアップ装置１においてはスライドベース９上に固定されていた送りモーター１０およびメインガイド軸１１は、光ピックアップ装置２０においてはベース１６上に固定されている。また、グリップラック１２’の歯部１２ａと１２ｂとの間隔はＬである。切換駆動機構１７は、ハウジング５上においてメインガイド軸受け３’の一方の近傍に固定されている。切換レバー１７ａの長手方向は、メインガイド軸１１の長手方向および対物レンズ２ａ・２ｂの光軸方向の両方と垂直な方向である。ベース１６は、長方形を成しており、光ピックアップ装置２０の支持基台となる。
【００７３】
図１１は、光ディスク１３の半径方向と対物レンズ２ａから出射される光軸の軌跡とが一致している状態であり、送りモーター１０の送りネジ１０ａとグリップラック１２’の歯部１２ａとが噛み合っている。これにより、送りモーター１０の駆動によるハウジング５のスライドに伴い、対物レンズ２ａの光軸は、光ディスク１３の半径方向に移動する。
【００７４】
図１２および図１３は、図１１の状態において、ハウジング５が送りモーター１０によってスライドする方向から見た場合のハウジング５の側面図である。なお、図１２では２つのメインガイド軸受け３’のうちの一方およびグリップラック１２’を省略し、図１３では２つのメインガイド軸受け３’のうちの一方、切換駆動機構１７および切換レバー１７ａを省略している。図１２に示すように、切換レバー１７ａをメインガイド軸１１の長手方向から見た場合の断面形状は略コ字状であり、切換レバー１７ａの略コ字形状部分にメインガイド軸３が挿通されている。さらに、切換駆動機構１７の動力源はソレノイドであり、切換レバー１７ａは切換駆動機構１７によって、対物レンズ２ａと対物レンズ２ｂとの距離Ｌだけ駆動可能である。なお、図１２は、切換レバー１７ａは最も縮んだ状態を示している。
【００７５】
光ピックアップ装置２０における、対物レンズ２ｂの光軸と光ディスク１３の半径方向とが一致する状態への切り換えは、切換レバー１７ａを伸ばし、ハウジング５をメインガイド軸１１およびサブガイド軸１５の両方に垂直な方向、すなわち光ディスク１３の半径方向と垂直な方向に移動させることにより行われる。
【００７６】
サブガイド軸受け４はＵ字状部４ａを有し、Ｕ字状部４ａは、図２および図４に示すＵ字状部４ａと同一である。一方、メインガイド軸受け３’は、図２および図４に示すメインガイド軸受け３と異なり、Ｕ字状部３ａ’を有する。円形孔ではなくＵ字形状としたのは、光ピックアップ装置２０においてはサブガイド軸１５だけでなくメインガイド軸１１も固定されており、対物レンズ２ａ・２ｂの切り換えによってハウジング５とメインガイド軸１１との相対位置も変化するためである。さらにメインガイド軸受け３’のＵ字状部３ａ’のメインガイド軸１１と接する部分およびサブガイド軸受け４のＵ字状部４ａのサブガイド軸１５と接する部分は、少なくともハウジング５が移動する距離Ｌの直線部を有している。したがって、切換駆動機構１７による切り換えによりハウジング５が移動しても、メインガイド軸１１がメインガイド軸受け３’から外れたり、サブガイド軸１５がサブガイド軸受け４から外れたりすることはない。
【００７７】
図１４は、光ピックアップ装置２０の構成を示しており、図１１の状態から切換レバー１７ａによってハウジング５を矢印方向に距離Ｌだけ移動させた状態である。これにより、対物レンズ２ｂから出射される光軸が光ディスク１３の半径方向に移動するように調整されている。ハウジング５の移動に伴い、送りネジ１０ａとの噛み合いがグリップラック１２’の歯部１２ａから歯部１２ｂに切り換わっている。なお、このときグリップラック１２’の歯部は、グリップラック１２’の弾性により、送りネジ１０ａから浮いて逃げるか、あるいは歯部が送りネジ１０ａに噛み合ったまま、送りネジ１０ａが回転するので、歯部と送りネジ１０ａとが引っ掛かることはない。
【００７８】
図１５は、図１４の状態において、ハウジング５が送りモーター１０によってスライドする方向から見た場合のハウジング５の側面図であり、２つのメインガイド軸受け３’の一方、切換駆動機構１７および切換レバー１７ａは省略している。図１３と図１５とを比較すると、送りネジ１０ａ、メインガイド軸１１およびサブガイド軸１５は固定されているため、それぞれの相対位置は変化せず、ハウジング５が移動したことにより、送りネジ１０ａとの噛み合いがグリップラック１２’の歯部１２ａから歯部１２ｂに切り換わっている。
【００７９】
なお、光ピックアップ装置２０において、切換駆動機構１７をハウジング５のサブガイド軸１５側に固定し、切換レバー１７ａのコ字状部にサブガイド軸１５を挿入させてもよい。
【００８０】
図１６（ａ）および図１６（ｂ）は、ハウジング５が送りモーター１０によってスライドする方向から見た場合のハウジング５の側面図であり、光ピックアップ装置２０におけるハウジング５のサブガイド軸受部分の変形例を示している。なお、送りネジ１０ａ、グリップラック１２’、切換駆動機構１７および切換レバー１７ａは省略している。図１６（ａ）および図１６（ｂ）は、図１３および図１５と比較すると、メインガイド軸受け３”のが、長さＬの直線部を有する長円形孔３ｂを有している点で異なっており、その他の部材については同一であるので、機能等の説明は省略する。
【００８１】
図１６（ａ）は、メインガイド軸１１が長円形孔３ｂの一端である３ｃに当接し、光ディスク１３の半径方向と対物レンズ２ａから出射される光軸の軌跡とが一致している状態であり、図１６（ｂ）は、メインガイド軸１１が長円形孔３ｂの他端である３ｄに当接し、光ディスク１３の半径方向と対物レンズ２ｂから出射される光軸の軌跡とが一致している状態である。すなわち、ハウジング５の移動量の規制は、長円形孔３ｂの内側端部３ｃ・外側端部３ｄにメインガイド軸１１が当接することによって行われる。また、図１１および図１４に示す切換駆動機構１７の切換レバー１７ａはメインガイド軸１１と内側端部３ｃ・外側端部３ｄとが当接している状態においても、若干の押圧力を有しており、ハウジング５が送りモーター１０によってスライドするのに支障が無い程度に、適度な付勢力をもって、メインガイド軸１１とメインガイド軸受け３”の両端部３ｃ、３ｄとを当接させている。
【００８２】
図１７（ａ）および図１７（ｂ）は、ハウジング５が送りモーター１０によってスライドする方向から見た場合のハウジング５の側面図であり、光ピックアップ装置２０におけるハウジング５のサブガイド軸受部分のさらに他の変形例を示している。なお、簡単のため送りネジ１０ａ、グリップラック１２’、切換駆動機構１７および切換レバー１７ａは省略している。
【００８３】
図１７（ａ）および図１７（ｂ）の構成は、図１３および図１５の構成と比較すると、メインガイド軸受け３のＵ字状部３ａ’の２つの直線部に逃げ部３ｅが、１箇所ずつ設けられ、サブガイド軸受け４のＵ字状部４ａの２つの直線部に逃げ部４ｂが、１箇所ずつ設けられていること以外は同一であるので、他の部材の説明は省略する。
【００８４】
なお図１７（ａ）は、光ディスク１３の半径方向と対物レンズ２ａから出射される光軸の軌跡とが一致している状態であり、図１７（ｂ）は、光ディスク１３の半径方向と対物レンズ２ｂから出射される光軸の軌跡とが一致している状態である。逃げ部３ｅおよび逃げ部４ｂは、図７（ａ）および図７（ｂ）の逃げ部４ｂと同様の働きを持つ。すなわち、逃げ部３ｅおよび逃げ部４ｂを設けている部分は、メインガイド軸１１やサブガイド軸１５を挿通するための間隔が広いため、よりスムーズな切り換えが可能となる。
【００８５】
図１８は、本実施の形態に係る光ピックアップ装置２０’の構成を示している。光ピックアップ装置２０’は、光ピックアップ装置２０の構成にさらに対物レンズ２ｃを設けた構造である。対物レンズ２ｃはＢｌｕ−ｒａｙ  ｄｉｓｋ用の対物レンズであり、対物レンズ２ａ・２ｂ・２ｃは図８に示す光ピックアップ装置１”における対物レンズ２ａ・２ｂ・２ｃと同一である。また、対物レンズ２ａと２ｂとの距離および対物レンズ２ｂと２ｃとの距離は、ともにＬである。
【００８６】
光ピックアップ装置２０’の構成は、光ピックアップ装置２０と比較して、さらに対物レンズ２ｃを備えていること、グリップラック１２”にさらに歯部１２ｃが設けられていること、逃げ部５ａ’の形状が光ピックアップ装置２０の逃げ部５ａと異なること、メインガイド軸受け３’およびサブガイド軸受け４’の形状が、光ピックアップ装置２０のメインガイド軸受け３およびサブガイド軸受け４とそれぞれ異なること以外は、光ピックアップ装置２０と同一であるので、その他の部材は光ピックアップ装置１と同一の符号を用いている。
【００８７】
具体的には、グリップラック１２”の歯部１２ａおよび歯部１２ｂ、歯部１２ｂおよび歯部１２ｃのそれぞれの間隔はともにＬであり、ハウジング５の逃げ部５ａ’は、切換駆動機構１７によりハウジング５が移動する距離２Ｌより長い直線部５ｂ’を有している。また、切換駆動機構１７の切換レバー１７ａは、対物レンズ２ａと対物レンズ２ｃとの距離２Ｌだけ駆動可能である。さらに、メインガイド軸受け３’はＵ字状部３ａ’を有し、Ｕ字状部３ａ’のメインガイド軸１１と接する部分は、少なくとも距離２Ｌの直線部を有している。
【００８８】
なお、サブガイド軸受け４’が有するＵ字状部４ａ’の形状は、図８に示す光ピックアップ装置１”におけるサブガイド軸受け４’が有するＵ字状部４ａ’と同一であり、逃げ部５ａ’の形状は、図８に示す光ピックアップ装置１”における逃げ部５ａ’と同一である。
【００８９】
光ピックアップ装置２０’では、ハウジング５は切換駆動機構１７によって、対物レンズ２ａと対物レンズ２ｃとの距離２Ｌだけその位置を切り換えることが可能である。図１８は、光ディスク１３の半径方向と対物レンズ２ａから出射される光軸の軌跡とが一致している状態である。ハウジング５は、光ピックアップ装置２０の場合よりも移動可能な距離が長いので、逃げ部５ａ’は、切換駆動機構１７によりハウジング５が移動する距離２Ｌより長い直線部５ｂ’を有している。
【００９０】
図１９（ａ）〜図１９（ｃ）はそれぞれ、ハウジング５が送りモーター１０によってスライドする方向から見た場合のハウジング５の側面図であり、メインガイド軸受け３’およびサブガイド軸受け４’以外の構成は図１３および図１５の構成と同一である。なお、簡単のため図１９（ａ）〜図１９（ｃ）では、２つのメインガイド軸受け３’のうちの一方、切換駆動機構１７および切換レバー１７ａは省略している。図１９（ａ）は、光ディスク１３の半径方向と対物レンズ２ａから出射される光軸の軌跡とが一致している状態であり、グリップラック１２”の歯部１２ａと送りネジ１０ａとが噛み合っている。図１９（ｂ）は、光ディスク１３の半径方向と対物レンズ２ｂから出射される光軸の軌跡とが一致している状態であり、グリップラック１２”の歯部１２ｂと送りネジ１０ａとが噛み合っている。図１９（ｃ）は、光ディスク１３の半径方向と対物レンズ２ｃから出射される光軸の軌跡とが一致している状態であり、グリップラック１２”の歯部１２ｃと送りネジ１０ａとが噛み合っている。
【００９１】
Ｕ字状部３ａ’のメインガイド軸１１と接する部分およびＵ字状部４ａ’のサブガイド軸１５と接する部分は、少なくともハウジング５が移動する距離２Ｌの直線部を有している。したがって、図１８に示す切換駆動機構１７による切り換えによりハウジング５が移動しても、メインガイド軸１１がメインガイド軸受け３’から外れたり、サブガイド軸１５がサブガイド軸受け４’から外れたりすることはない。
【００９２】
図２０は、ハウジング５が送りモーター１０によってスライドする方向から見た場合のハウジング５の側面図であり、光ピックアップ装置２０’におけるハウジング５のメインガイド軸受部分およびサブガイド軸受部分の変形例を示している。図２０は、図１９（ａ）〜図１９（ｃ）と比較すると、Ｕ字状部３ａ’の直線部に、逃げ部３ｅがそれぞれ２箇所ずつ設けられていること、Ｕ字状部４ａ’の２つの直線部に、逃げ部４ｂ’がそれぞれ２箇所ずつ設けられていること、送りネジ１０ａおよびグリップラック１２”が省略されていること以外は同一であるので、部材の説明は省略する。
【００９３】
逃げ部３ｅおよび逃げ部４ｂ’は、図７（ａ）および図７（ｂ）の逃げ部４ｂと同様の働きを持つ。すなわち、逃げ部３ｅおよび逃げ部４ｂ’を設けている部分は、メインガイド軸１１やサブガイド軸１５が挿通される部分の間隔が広いため、よりスムーズな切り換えが可能となる。
【００９４】
本実施形態に係る光ピックアップ装置２０および光ピックアップ装置２０’では、対物レンズの切換え時に切換駆動機構１７によってハウジング５のみ移動させる構成である。したがって、実施の形態１に係る光ピックアップ装置１、光ピックアップ装置１’および光ピックアップ装置１”よりもさらに小規模かつ簡単な構成である。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９６】
本発明に係る光ピックアップ装置は、複数種類の規格の光ディスクに対応する光ディスク記録／再生装置に好適に適用できる。
【図面の簡単な説明】
【００９７】
【図１】本発明の実施形態に係る光ピックアップ装置の構成を示す平面図である。
【図２】上記光ピックアップ装置のハウジングの側面図である。
【図３】上記ハウジングがＤＶＤ用の対物レンズを使用するときの位置にある上記光ピックアップ装置の構成を示す平面図である。
【図４】上記光ピックアップ装置のハウジングの側面図である。
【図５】本発明の実施形態に係る他の光ピックアップ装置の構成を示す概略図である。
【図６】（ａ）はＣＤ用の対物レンズを使用するときの上記ハウジングの位置を示す上記ハウジングの側面図であり、（ｂ）はＤＶＤ用の対物レンズを使用するときの上記ハウジングの位置を示す上記ハウジングの側面図である。
【図７】図１の光ピックアップ装置のハウジングの変形例を示すものであり、（ａ）はＣＤ用の対物レンズを使用するときの上記ハウジングの位置を示す上記ハウジングの側面図であり、（ｂ）はＤＶＤ用の対物レンズを使用するときの上記ハウジングの位置を示す上記ハウジングの側面図である。
【図８】本発明の実施形態に係るさらに他の光ピックアップ装置の構成を示す概略図である。
【図９】（ａ）はＣＤ用の対物レンズを使用するときの上記ハウジングの位置を示す上記ハウジングの側面図であり、（ｂ）はＤＶＤ用の対物レンズを使用するときの上記ハウジングの位置を示す上記ハウジングの側面図であり、（ｃ）はＢｌｕ−ｒａｙ  ｄｉｓｋ用の対物レンズを使用するときの上記ハウジングの位置を示す上記ハウジングの側面図である。
【図１０】上記ハウジングの変形例を示す側面図である。
【図１１】本発明の実施形態に係る他の光ピックアップ装置の構成を示す平面図である。
【図１２】図１１の光ピックアップ装置においてＣＤ用の対物レンズを使用する状態のハウジングの側面図である。
【図１３】図１１の光ピックアップ装置においてＤＶＤ用の対物レンズを使用する状態のハウジングの側面図である。
【図１４】上記ハウジングが図１３の位置にある状態の図１１の光ピックアップ装置の構成を示す平面図である。
【図１５】図１４の光ピックアップ装置のハウジングの側面図である。
【図１６】図１１の光ピックアップ装置のハウジングの変形例を示すものであり、（ａ）はＣＤ用の対物レンズを使用する状態の上記ハウジングの側面図であり、（ｂ）はＤＶＤ用の対物レンズを使用する状態の上記ハウジングの側面図である。
【図１７】図１１の光ピックアップにおける上記ハウジングの他の変形例を示すものであり、（ａ）はＣＤ用の対物レンズを使用する状態の上記ハウジングの側面図であり、（ｂ）はＤＶＤ用の対物レンズを使用する状態の上記ハウジングの側面図である。
【図１８】本発明の実施形態に係るさらに他の光ピックアップ装置の構成を示す概略図である。
【図１９】（ａ）はＣＤ用の対物レンズを使用する状態の図１８の光ピックアップ装置における上記ハウジングの側面図であり、（ｂ）はＤＶＤ用の対物レンズを使用する状態の上記ハウジングの側面図であり、（ｃ）はＢｌｕ−ｒａｙ  ｄｉｓｋ用の対物レンズを使用する状態の上記ハウジングの側面図である。
【図２０】図１８の光ピックアップ装置における上記ハウジングの変形例を示す側面図である。
【図２１】（ａ）、（ｂ）はともに従来の光ピックアップ装置の構成を示す概略図である。
【図２２】（ａ）、（ｂ）はともに従来の他の光ピックアップ装置の構成を示す概略図である。
【図２３】（ａ）、（ｂ）はともに従来のさらに他の光ピックアップ装置の構成を示す概略図である。
【符号の説明】
【００９８】
１・１’・１”・２０・２０’    光ピックアップ装置
２ａ・２ｂ・２ｃ    対物レンズ
３    メインガイド軸受け（第１軸受部）
４    サブガイド軸受け（第２軸受部）
５    ハウジング
５ａ  逃げ部（切り欠き部）
５ｂ  直線部
６    光ピックアップ部（光ピックアップ）
７    スピンドルモーター
８    メインベース
９    スライドベース
１０    送りモーター
１１    メインガイド軸（第１ガイド軸）
１２    グリップラック
１３    光ディスク
１４    切換機構（駆動手段）
１５    サブガイド軸（第２ガイド軸）
１６    ベース
１７    切換駆動機構（駆動手段）
【図１】
2007328860.tif 000003
【図２】
2007328860.tif 000004
【図３】
2007328860.tif 000005
【図４】
2007328860.tif 000006
【図５】
2007328860.tif 000007
【図６】
2007328860.tif 000008
【図７】
2007328860.tif 000009
【図８】
2007328860.tif 000010
【図９】
2007328860.tif 000011
【図１０】
2007328860.tif 000012
【図１１】
2007328860.tif 000013
【図１２】
2007328860.tif 000014
【図１３】
2007328860.tif 000015
【図１４】
2007328860.tif 000016
【図１５】
2007328860.tif 000017
【図１６】
2007328860.tif 000018
【図１７】
2007328860.tif 000019
【図１８】
2007328860.tif 000020
【図１９】
2007328860.tif 000021
【図２０】
2007328860.tif 000022
【図２１】
2007328860.tif 000023
【図２２】
2007328860.tif 000024
【図２３】
2007328860.tif 000025